(57)【要約】【課題】ころび止めが小さいと先端部（筆穂部）が机上などに触れてしまう危険性がある。ころび止めを大きくすることも考えられるが、筆入れへの収納や携帯性を考慮すると実現性に乏しい。【解決手段】軸筒の先端に塗布部を有する塗布具であって、その塗布部近傍に突出・収容可能な載置部を設けた塗布部。【選択図】  図１
2004351731.tif 000002
【特許請求の範囲】
【請求項１】
軸筒の先端に塗布部を有する塗布具であって、その塗布部近傍に突出・収容可能な載置部を設けたことを特徴とする塗布部。
【請求項２】
前記載置部を軸筒に設けられた腕部と、その腕部の中間部に設けられた薄肉部とから構成したことを特徴とする請求項１記載の塗布部。
【請求項３】
前記載置部を、軸筒に対して摺動可能な第１外周部と、その第１外周部と同軸上に設けられた第２外周部と、それらの外周部に連結され、且つ、屈曲可能な肉薄部を有する腕部とから構成し、前記第１外周部と第２外周部の接近・離隔動作によって、前記載置部を突出・収納させた特徴とする請求項１記載の塗布部。
【発明の詳細な説明】
【０００１】
【発明の属する技術分野】
本発明は、軸筒の先端に筆記部を有する筆記具に関するものであり、特に、非筆記時に机上などにおいた場合に、その机上を塗布材などで汚損させる可能性のある塗布具、例えば、絵画や書道などに使用される筆記具、接着剤の塗布に使用される筆などに関する。
【０００２】
【従来の技術】
１例として、書道筆の中間部に矩形状のころび止め具を取り付けたものが知られている。書道筆の前方に、矩形状のころび止め具を配置することで、書道筆を静置した場合に転がりが防止されると共に、ころび止め具の大きさ如何によっては先端部が机上に触れることが無く、もって、汚損防止にもなる（特許文献１参照）。
【０００３】
【特許文献１】
実開昭５４−６８９４２号公報（実用新案登録請求の範囲、第２図）。
【０００４】
【発明が解決しようとする課題】
しかしながら、上記の考案にあっては、ころび止めが目的である為に、汚損に関する課題については些か改善の余地があった。即ち、ころび止めが小さいと先端部（筆穂部）が机上などに触れてしまう危険性があるのである。この課題を解決する為に、ころび止めを大きくすることも考えられるが、筆入れへの収納や携帯性を考慮すると実現性に乏しい。
【０００５】
【課題を解決するための手段】
本発明は、以上の点に鑑み、軸筒の先端に塗布部を有する塗布具であって、その塗布部近傍に突出・収容可能な載置部を設けたことを要旨とする。
【０００６】
【作用】
必要に応じて載置部を軸筒に対して突出・収納することができる。
【０００７】
【実施例】
図１〜図５に本発明の第１実施例を示し説明する。絵画に使用される絵の具筆に適用した例である。図１は、別部材で構成した載置具４を筆の軸筒１に挿着し、その載置具４の腕部４ｃが突出した状態を示す斜視図である。図２は、載置具４を軸筒１に収納した状態を示す斜視図である。図３、図４は、前記図１、図２の載置具４単体の斜視図である。
図５は、図１の静置状態を示す縦断面図であり、載置具４を突出することにより、筆を机上等に静置すると、軸筒１後端と腕部４ｃが机上に接触し、筆穂部３は机上から離れた位置に保たれる。以下、その載置具４について具体的に説明する。可動外周部４ａと固定外周部４ｂの間には複数の腕部４ｃが形成され、その腕部４ｃのほぼ中間部と両端近傍には屈曲可能な肉薄部４ｃが形成されている。この屈曲可能な肉薄部４ｃによって、前記可動外周部４ａを筆穂部３側に前進させると前記腕部４ｃが突出し、後退させると腕部４ｃが縮径しながら載置具４に収納される。
また、可動外周部４ａには係合孔が、固定外周部４ｂには突起が形成されており、前記可動外周部４ａが前進したときに、その可動外周部４ａの係合孔４ｅが固定外周部４ｂの係止突起４ｆに係合し、その係合によって可動外周部４ａの前進状態、即ち、腕部４ｃの突出状態が維持される。尚、固定外周部４ｂは軸筒１と先部材２との圧入部に挟着された状態で固定されている。
【０００８】
図６は、可動外周部４ａが前進した状態における、その確実性を向上させた例である。腕部４ｃの内側には、前記屈曲部を境とし凸部４ｇと凹部４ｈが形成されている。可動外周部４ａが前進した状態、即ち、腕部４ｃが突出したときに前記凸部４ｇと凹部４ｈが嵌合する。此によって、可動外周部４ａの前進位置を確実に維持される。勿論、この際、可動外周部４ａの係合孔４ｅが固定外周部４ｂの係止突起４ｆにも係合しているが、この係合における構成を省いても前記の作用が満足される。
尚、前記腕部４ｃの凸部４ｇと凹部４ｈに対応して、軸筒１にもその突部と凹部に係合する凹部と凸部を形成しても良い。可動外周部４ａの後退時、即ち、腕部４ｃの縮径状態を確実に維持することができるようになる。
図７は、可動外周部４ａが後退した際、つまり、腕部４ｃが縮径した状態に維持される変形例である。軸筒１の表面には、腕部４ｃとほぼ同形状の溝部１ａが形成されている。そして、腕部４ｃの縮径時には、その腕部４ｃが伸張し前記溝部に嵌合・収納されるようになっている。前例に比し、嵌合面積が多くなる為、腕部４ｃの縮径状態における維持が向上したものとなっている。
【０００９】
図８は、更に他の例であって、可動外周部４ａの側面には、少なくとも１つの貫通穴４ａａが形成されている。そして、その貫通孔が嵌り込む突起１ｂ、１ｃが軸筒１の側面に形成されている。その突起１ｂ、１ｃは、腕部４ｃが突出した状態と縮径した状態が維持される位置に形成されている。つまり、可動外周部４ａを前進（腕部４ｃ突出状態）させると前方の突起１ｂに貫通孔４ａａが係合し、可動部を後退（腕部４ｃ縮径状態）させると後方の突起１ｃに係合する。
図９は、軸筒に腕部４ｃ、即ち、載置部４を一体形成した例である。つまり、可動外周部４ａと固定外周部４ｂ、並びに、腕部４ｃが軸筒に形成されている。そして、その固定外周部４ｂは先部材２に形成された小径部２ａに固定されている。また、その先部材の小径部２ａは、後方に向けて延設形成されており、腕部４ｃを貫通し軸筒の本体部まで達している。軸筒自体を前進させることによって、腕部４ｃが突出し載置可能な状態となる。勿論、突出状態を維持させる為の手段、例えば、係合孔４ｅと係合部４ｆが形成されている。
尚、以上の示した例においては、可動外周部４ａと固定外周部４ｂ、並びに、複数の腕部４ｃを一体で形成しているが、別体で形成し、互いを連結しても良い。
【００１０】
【発明の効果】
本発明は、軸筒の先端に塗布部を有する塗布具であって、その塗布部近傍に突出・収容可能な載置部を設けた野で、塗布部に塗布剤などが付着した状態で、机上等に静置した場合に、その机上等への塗布剤による汚損防止ができるとともに、突出部を変形させて縮径できるため収納性、携帯性にも優れている。
【図面の簡単な説明】
【図１】第１実施例における載置具を装着した、塗布具の載置具の腕部が突出した状態を示す斜視図である。
【図２】第１実施例における載置具を装着した、載置具の腕部が縮径した状態を示す斜視図である。
【図３】図１における載置具単体の斜視図である。
【図４】図２における載置具単体の斜視図である。
【図５】図１の静置状態を示す縦断面図である。
【図６】第２実施例における載置具単体の斜視図である。
【図７】第３実施例における載置具を装着した、塗布具の載置具の腕部が突出した状態を示す一部省略斜視図である。
【図８】第４実施例における載置具と塗布具の分解斜視図である。
【図９】第５実施例における載置部付き塗布具の斜視図である。
【符号の説明】
１      軸筒
１ａ    溝部
１ｂ    嵌合突起
１ｃ    嵌合突起
２      先部材
２ａ    小径部
３      筆穂部
４      載置部
４ａ    可動外周部
４ａａ  貫通穴
４ｂ    固定外周部
４ｂａ  係止部
４ｃ    腕部
４ｄ    肉薄部
４ｅ    係合孔
４ｆ    係止突起
４ｇ    嵌合凸部
４ｈ    嵌合凹部
【図１】
2004351731.tif 000003
【図２】
2004351731.tif 000004
【図３】
2004351731.tif 000005
【図４】
2004351731.tif 000006
【図５】
2004351731.tif 000007
【図６】
2004351731.tif 000008
【図７】
2004351731.tif 000009
【図８】
2004351731.tif 000010
【図９】
2004351731.tif 000011